(57)【要約】【課題】携帯端末装置において、液晶画面の表示データの種別によって液晶画面の視野角を変更する処理を、ユーザ操作によらず自動的に行うことができ、かつ柔軟に設計できるようにする。【解決手段】携帯電話装置の場合、まず、表示データ識別手段６１が、表示部２の液晶画面に表示されるデータを識別する。続いて、視野角指定手段６３が、識別された表示データに関して視野角テーブル６２を参照することにより、当該表示データに視野角を狭くするか広くするかのＩＤを付与する。表示部２は、このＩＤにより、前回の表示と視野角が異なれば、当該データの液晶画面の視野角を変更する制御もしくは処理を行い、前回の表示と視野角が同じであれば、制御状態もしくは処理状態を継続する【選択図】  図１
2006251057.tif 000002
【特許請求の範囲】
【請求項１】
液晶画面にデータを表示するとともに前記データに付与された液晶画面の視野角の広狭を示すＩＤにより前記液晶画面の視野角を自動的に変更可能な表示部と、全体を統括的に制御する制御部とを有する携帯端末装置であって、前記制御部には、前記液晶画面に表示されるデータの種別を自動的に識別する表示データ識別手段と、データの種別毎に液晶画面の視野角の広狭を示すＩＤとの対応を示した視野角テーブルと、前記視野角テーブルを参照して前記識別されたデータに対応するＩＤを付与する視野角指定手段とを、備えることを特徴とする携帯端末装置。
【請求項２】
視野角テーブルが、プライベート性の高いデータ種別に対しては液晶画面の視野角を狭くする旨のＩＤを、プライベート性の低いデータ種別に対しては液晶画面の視野角を広くする旨のＩＤを対応させるものであることを特徴とする請求項１記載の携帯端末装置。
【請求項３】
視野角テーブルが、電話帳に登録されているメンバからの受信メール、メール作成画面、ユーザによる撮影静止画、およびユーザによる撮影動画のうちの少なくとも１つをプライベート性の高いデータ種別とし、待受画面、電話帳に登録されていないメンバからの受信メール、ネットワークからダウンロードされた静止画、およびネットワークからダウンロードされた動画のうちの少なくとも１つをプライベート性の低いデータ種別とするものであることを特徴とする請求項２記載の携帯端末装置。
【請求項４】
前記制御部が、操作部からの指令により視野角テーブルのＩＤを設定する視野角テーブル設定手段を有することを特徴とする請求項１ないし３のいずれか１に記載の携帯端末装置。
【請求項５】
液晶画面にデータを表示するとともに前記データに付与された液晶画面の視野角の広狭を示すＩＤにより前記液晶画面の視野角を自動的に変更可能な表示部と、全体を統括的に制御する制御部とを有する携帯端末装置の液晶画面の視野角変更方法であって、前記制御部が、前記液晶画面に表示されるデータの種別を自動的に識別する表示データ識別手順と、データの種別毎に液晶画面の視野角の広狭を示すＩＤとの対応を示した視野角テーブルを参照して前記識別されたデータに対応するＩＤを付与する視野角指定手順とを、備えることを特徴とする携帯端末装置の液晶画面の視野角変更方法。
【請求項６】
前記制御部が、操作部からの指令により視野角テーブルのＩＤを設定する視野角テーブル設定手順を有することを特徴とする請求項５記載の携帯端末装置の液晶画面の視野角変更方法。
【発明の詳細な説明】
【技術分野】
【０００１】
この発明は、携帯電話装置や携帯情報端末装置等の携帯端末装置とその液晶画面の視野角変更方法に係り、詳しくは、利用シーンに応じて液晶画面の視野角を変更する携帯端末装置とその液晶画面の視野角変更方法に関する。
【背景技術】
【０００２】
今日、携帯電話装置等を使って場所を問わず電子メール等のやりとりが可能となった。しかし、場所を問わず利用できることにより、外出中に電子メールや写真を携帯電話装置で閲覧する際、周囲の人に見られてしまう問題があった。この問題を解決するため、液晶画面の視野角を狭くするフィルタ等が発売されているが、このフィルタ等は周囲の人に見られる問題はある程度解決することができるものの、逆にユーザ自身の視野を常に狭めてしまう問題があった。
【０００３】
以上の問題を解決するための試みとして、特許文献１では、携帯電話装置の主表示部である液晶画面上に視野角変更液晶板を設けるとともに、視野角変更のための操作ボタン（サイドボタン）を設け、このボタンからの操作入力に応じて、あるいはアプリケーションの種類に応じて、視野角変更液晶板の配向方向を狭い視野角モードに制御している。
【０００４】
また、特許文献２では、カメラ付き携帯電話装置において、視野角が切り替え可能な液晶表示部を用い、カメラモードを起動した場合には、カメラモード以外のときより広い視野角に液晶表示部を設定してカメラによる静止画や動画を表示するプレビューモードに移り、プレビューモードを終了する際に、通常の狭い視野角に戻している。
【特許文献１】特願２００４−０６２０９４号公報
【特許文献２】特願２００４−２３３５２７号公報
【特許文献３】特開平１０−２４０１８６号公報
【発明の開示】
【発明が解決しようとする課題】
【０００５】
しかしながら、上記従来のボタン操作をする場合では、表示内容を変える度に、視野角を狭くしたり、広くしたりする判断思考を必要とし、操作が煩雑であるという問題があった。一方、カメラモード等のアプリケーション対応に視野角の広狭を制御する場合では、アプリケーション毎に視野角の広狭を制御する処理を組み込む必要があり、一旦、作成されると、変更が困難であるなど、柔軟性に欠けるという問題があった。
【０００６】
この発明は、上述の事情に鑑みてなされたものであって、電話帳に登録されているメンバからの受信メールなどプライベート性の高いデータが液晶画面に表示される場合には液晶画面の視野角を狭く、待受画面などプライベート性の低いデータが液晶画面に表示される場合には液晶画面の視野角を広くすることを、ユーザが操作を行うことなく自動的に行うことができ、かつ柔軟に設計することができる携帯端末装置とその液晶画面の視野角変更方法を提供することを目的とする。
【課題を解決するための手段】
【０００７】
上述の課題を解決するため、請求項１記載の発明は、携帯端末装置に係り、液晶画面にデータを表示するとともに前記データに付与された液晶画面の視野角の広狭を示すＩＤにより前記液晶画面の視野角を自動的に変更可能な表示部と、全体を統括的に制御する制御部とを有する携帯端末装置であって、前記制御部には、前記液晶画面に表示されるデータの種別を自動的に識別する表示データ識別手段と、データの種別毎に液晶画面の視野角の広狭を示すＩＤとの対応を示した視野角テーブルと、前記視野角テーブルを参照して前記識別されたデータに対応するＩＤを付与する視野角指定手段とを、備えることを特徴としている。
【０００８】
請求項２記載の発明は、請求項１記載の携帯端末装置に係り、視野角テーブルが、プライベート性の高いデータ種別に対しては液晶画面の視野角を狭くする旨のＩＤを、プライベート性の低いデータ種別に対しては液晶画面の視野角を広くする旨のＩＤを対応させるものであることを特徴としている。
【０００９】
請求項３記載の発明は、請求項２記載の携帯端末装置に係り、視野角テーブルが、電話帳に登録されているメンバからの受信メール、メール作成画面、ユーザによる撮影静止画、およびユーザによる撮影動画のうちの少なくとも１つをプライベート性の高いデータ種別とし、待受画面、電話帳に登録されていないメンバからの受信メール、ネットワークからダウンロードされた静止画、およびネットワークからダウンロードされた動画のうちの少なくとも１つをプライベート性の低いデータ種別とするものであることを特徴としている。
【００１０】
請求項４記載の発明は、請求項１ないし３のいずれか１に記載の携帯端末装置に係り、前記制御部が、操作部からの指令により視野角テーブルのＩＤを設定する視野角テーブル設定手段を有することを特徴としている。
【００１１】
請求項５記載の発明は、携帯端末装置の液晶画面の視野角変更方法に係り、液晶画面にデータを表示するとともに前記データに付与された液晶画面の視野角の広狭を示すＩＤにより前記液晶画面の視野角を自動的に変更可能な表示部と、全体を統括的に制御する制御部とを有する携帯端末装置の液晶画面の変更方法であって、前記制御部が、前記液晶画面に表示されるデータの種別を自動的に識別する表示データ識別手順と、データの種別毎に液晶画面の視野角の広狭を示すＩＤを示した視野角テーブルを参照して前記識別されたデータに対応するＩＤを付与する視野角指定手順とを、備えることを特徴としている。
【００１２】
請求項６記載の発明は、請求項５記載の携帯端末装置の液晶画面の視野角変更方法に係り、前記制御部が、操作部からの指令により視野角テーブルのＩＤを設定する視野角テーブル設定手順を有することを特徴としている。
【発明の効果】
【００１３】
以上説明したような、この発明の構成によれば、待受画面、受信メール、メール作成画面、静止画、動画、スケジュールデータ、およびＴｏ−Ｄｏデータ等の表示データが液晶画面に表示される際、表示されるデータを自動的に識別し、テーブルを参照し当該データに対応させて液晶画面の視野角を狭くしたり広くしたり自動的に変更するので、従来のようにユーザが視野角変更用のボタンを押したりする煩わしさがなく、かつ、アプリケーション対応に視野角変更の処理を行うことなく、テーブルの設計や変更のみで極めて簡単に液晶画面の視野角を変更することが可能となる。
【発明を実施するための最良の形態】
【００１４】
この発明は、液晶画面に表示する内容によって液晶画面の視野角を狭くしたり広くしたりすることを、ユーザが操作を行うことなく自動的に行うことができ、かつ柔軟に設計することができる携帯端末装置とその液晶画面の視野角変更方法を提供するという目的を、液晶画面に表示されるデータを識別し、識別したデータに関してテーブルを参照することにより視野角を狭くするか広くするかのＩＤを付与し、このＩＤにより当該データの視野角を変更もしくは継続することで実現した。
以下、図面を参照して、この発明の実施の形態について説明する。説明は、実施例を用いて具体的に行う。
【実施例１】
【００１５】
まず、この発明の第１実施例を説明する。図１はこの実施例である携帯電話装置の電気的構成例を示す図である。この実施例の携帯電話装置は、携帯電話装置に対する操作を受け付ける操作部１と、各種情報や電子メール、静止画や動画等の各種コンテンツ等の描画データを液晶画面に表示するとともに、これらのデータに付与されたＩＤにより液晶表示の視野角を変更する表示部２と、着呼や携帯電話装置の状態変化を報知する報知部３と、音声の入出力を行う入出力部４と、ネットワークと通信を行うための送受信部５と、それら各部の動作を制御する制御部６とで構成されている。制御部６は、この実施例に関連して、表示部２に表示されるデータを識別する表示データ識別手段６１と、各種の表示データと視野角変更を行うか否かのＩＤの対応を示すテーブル６２と、識別されたデータに関してテーブル６２を参照し、当該データに視野角を狭くするか広くするかのＩＤを付与する視野角指定手段６３とを有する。ここで、ＩＤとは視野角の広狭を識別するための情報を意味しており、例えばフラグ等と呼ばれる識別情報も含まれる。なお、ＩＤが付与されたデータは、制御部６から表示部２へ送られる。
【００１６】
この実施例における、携帯電話装置における利用シーンに応じた液晶画面の視野角変更方法について、図２、図３、および図４を参照して説明する。図２（ａ），（ｂ）は、この実施例と従来例におけるユーザの操作から描画までの流れ図、図３は、テーブル６２の内容を示した図であって、表示部２の液晶画面に表示されるデータとこの表示データに付与されるＩＤの対応を示す図、図４は、液晶画面の視野角を変更する手順を示すフローチャートである。
【００１７】
先に述べたように、従来例の携帯電話装置においては、図２（ｂ）に示すように、ユーザの操作により、アプリケーションが起動された場合（Ｓ１０１）、アプリケーション毎に視野角変更の処理を行い（Ｓ１０２）、当該アプリケーションで発生した描画命令によりユーザの操作結果が当該視野角で液晶画面に表示されていた（Ｓ１０３）。この実施例では、図２（ａ）に示すように、操作部１を介してのユーザの操作により（Ｓ１）、任意のアプリケーションによる描画命令が発生すると、制御部６が、どのようなデータが描画されるのかを識別し、液晶画面の視野角をそのデータに相応しい視野角に自動的に変更し（Ｓ２）、ユーザの操作結果を当該視野角で液晶画面に表示する（Ｓ３）。
【００１８】
図２（ａ）において、表示されるデータを識別し、それに応じて液晶画面の視野角を変更する制御（Ｓ２，Ｓ３）の詳細について、図４を用いて説明する。制御部６の表示データ識別手段６１は、表示部２の液晶画面に任意のデータが表示されることを検知した際（Ｓ１１）、検知されたデータが図３に示すテーブル６２のデータに該当する種類のデータかを自動的に識別する。視野角指定手段６３は、識別されたデータがテーブル６２のデータに該当する場合、ユーザにより作成されたデータであるか否かを考慮し、図３のテーブル６２に従い、それぞれのデータにＩＤを付与する（Ｓ１２）。ここで、視野角を狭くする場合は１のＩＤを、広くする場合は０のＩＤが付与される。このテーブル６２は、通常、製造者等の携帯電話装置の提供者側において作成される。
【００１９】
テーブル６２では、表示部２の液晶画面に表示されるデータが、プライベート性の低いものである場合、即ち、ネットワークからダウンロードされた静止画、ネットワークからダウンロードされた動画、あるいは待受画面である場合、当該表示データに対して、表示部２の液晶画面に表示される際の視野角を広くする旨の０のＩＤを対応させる。同様に、ユーザが撮影した静止画、あるいはユーザが撮影した動画が待受画面に設定されている場合も、当該表示データに対して、視野角を広くする旨の０のＩＤを対応させる。
【００２０】
また、テーブル６２では、表示部２の液晶画面に表示されるデータが、プライベート性の高いものである場合、即ち、受信メール、メール作成画面、スケジュールデータ、Ｔｏ−Ｄｏデータ、ユーザが撮影した静止画、あるいはユーザが撮影した動画である場合、当該表示データに対して、液晶画面に表示される際の視野角を狭くする旨の１のＩＤを対応させる。
【００２１】
表示部２は、液晶画面に描画するデータとともに、制御部６の視野角指定手段６３で付与されたＩＤを受け取り、この付与されたＩＤが０のとき（Ｓ１３）、表示部２の液晶画面に表示されるデータの視認性を重視し、液晶画面の視野角を広くする制御もしくは処理を行う（Ｓ１４）。一方、付与されたＩＤが１のとき（Ｓ１５）には、液晶画面に表示されるデータのプライベート性を重視し、液晶画面の視野角を狭くする制御もしくは処理を行う（Ｓ１６）。また、付与されたＩＤが０でも１でもない（付与されていない）場合には、想定外のデータが表示部２の液晶画面に表示されるため、液晶画面の視野角を変更する制御もしくは処理は行わない（Ｓ１７）。なお、ＩＤが指定する視野角が前回の表示と同じ場合には、前回の視野角の制御状態もしくは処理状態を継続する。
【００２２】
表示部２における視野角を変更する制御もしくは処理としては、従来の種々の技術が利用できる。例えば、特許文献１に記載されているように、液晶画面の上に透過光に対する偏光用の液晶板を配置して、この液晶版を配向させることにより視野角を狭くし、非配向とすることにより視野角を広くする構成が利用できる。また、特許文献２に記載されているように、液晶画面の表示コントラストを変更することにより視野角の広狭を制御する構成も、利用可能である。
【００２３】
上述の構成の実施例によれば、受信メール、メール作成画面、静止画、動画、スケジュールデータ、およびＴｏ−Ｄｏデータ等のプライベート性の高い情報が、表示部２の液晶画面に表示される際、表示されるデータを制御部が自動的に識別し、テーブルの指定に従って液晶画面の視野角を変更するので、従来のようにユーザが液晶画面にフィルタを貼ったり、視野角を手動操作で調整したりする煩わしさがなく、極めて簡単に液晶画面の視野角を変更することが可能となる。また、携帯電話装置の提供者側では、個々のアプリケーションをいじることなく、テーブルの設定や変更のみで視野角を制御できるので、アプリケーションの設計等に柔軟性が増す。
【実施例２】
【００２４】
続いて、この発明の第２実施例について説明する。図５は、この実施例である携帯電話装置の電気的構成を示すブロック図である。実施例１では、表示部に表示されるデータを識別し、視野角変更を行うか否かのＩＤを付与するための視野角テーブル６２を有するが、この視野角テーブル６２の作成は、携帯電話装置の提供者側が行うことを前提としていた。この実施例が、実施例１と異なるところは、この視野角テーブル６２に対する視野角テーブル設定手段６４を有している点である。それ以外の構成については、実施例１とほぼ同様であり、容易に類推できるのでその説明は省略し、その異なる部分についてのみ説明する。
【００２５】
ユーザが、操作部１を介して設定ツール等におけるテーブル６２に対する設定機能を選択すると、テーブル設定手段６４は、表示部２にテーブル６２の一部もしくは全部を表示し、操作部１からの指令により、初期値に設定されている付与するＩＤの値を再設定する。即ち、ユーザは、操作部１から指令することにより、テーブル６２における付与するＩＤの値を任意に設定することができる。設定後の動作は、実施例１のとおりである。
【００２６】
以上、この発明の実施例を図面により詳述してきたが、具体的な構成はこの実施例に限られるものではなく、この発明の要旨を逸脱しない範囲の設計の変更等があってもこの発明に含まれる。例えば、上述の実施例では、携帯電話装置を例に説明したが、この発明の携帯端末装置としては、ノート型ＰＣ（パーソナルコンピュータ）、電子手帳、ＰＤＡ（携帯情報端末装置）等にも、同様に適用することができる。これにより、これらの携帯端末装置のスケジュールデータ、ビジネスドキュメント、電子メールデータ、およびプライベートデータ等が液晶画面に表示されていることを自動的に識別し、液晶画面の視野角を自動的に狭くし、ホームページの閲覧など、視認性を重要視するようなシーンが液晶画面に表示されている場合は、それらが液晶画面に表示されていることを自動的に識別し、液晶画面の視野角を自動的に広くすることが可能となる。また、上記各実施例の制御部の構成は、ハードウェアとして説明したが、メモリを備えたコンピュータで構成し、その各種の機能および表示データ識別手段、視野角指定手段、視野角テーブル設定手段をこのコンピュータのプログラムとして構成することも可能である。
【産業上の利用可能性】
【００２７】
この発明は、携帯電話装置に限ることなく、ノート型ＰＣ、電子手帳、ＰＤＡ等の携帯端末装置に適用することが可能である。
【図面の簡単な説明】
【００２８】
【図１】この発明の第１実施例である携帯電話装置の電気的構成例を示す図である。
【図２】（ａ）は同実施例におけるユーザの操作から描画までの流れ図、（ｂ）は従来例におけるユーザの操作から描画までの流れ図である。
【図３】同携帯電話装置の視野角テーブルの内容を示した図であって、液晶画面に表示されるデータとこの表示データに付与されるＩＤの対応を示す図である。
【図４】同携帯電話装置における液晶画面の視野角を変更する手順を示すフローチャートである。
【図５】この発明の第２実施例であるの携帯電話装置の電気的構成例を示す図である。
【符号の説明】
【００２９】
１  操作部
２  表示部
６  制御部
６１  表示データ識別手段
６２  視野角テーブル
６３  視野角指定手段
６４  視野角テーブル設定手段
【図１】
2006251057.tif 000003
【図２】
2006251057.tif 000004
【図３】
2006251057.tif 000005
【図４】
2006251057.tif 000006
【図５】
2006251057.tif 000007